(57)【要約】【目的】第１の目的は、家庭等での手軽な利用を可能にし、下肢温まり効果の持続性を得ることができる足湯温まり方法及び足湯温まりセットを提供することであり、第２の目的は、特定の固形浴剤と特定の長靴形状軟質槽との組合せ構成によって、下肢温まり効果を更に持続させることができる足湯温まり方法及び足湯温まりセットを提供することである。【構成】炭酸塩と有機酸とを含有し、炭酸塩が炭酸水素ナトリウム又は炭酸水素カリウムであり、有機酸がクエン酸、フマル酸、コハク酸、リンゴ酸の少なくとも１つであり、かつ滑沢剤を含有する固形浴剤であって、実質的に界面活性剤を含有せず、摩損度が１０．０ｗｔ％であり、湯水に溶解した直後のｐＨが５．５から９．０である固形浴剤を、長靴形状軟質槽に溶解し、重炭酸イオンによって長靴形状軟質槽に挿入された下肢の温まり効果の持続性を得る構成の足湯温まり方法及びこれに供される長靴形状軟質槽である。【選択図】図２
2019069136.tif 000002
【特許請求の範囲】
【請求項１】
槽胴部及び槽底部を有し、フレキシブル保温部材による足湯用長靴形状軟質槽において、
該フレキシブル保温部材がクロロプレンゴム発泡体その他のゴム発泡体に、ジャージ類をラミネートした複合素材であることを特徴とする足湯用長靴形状軟質槽。
【請求項２】
ジャージ類が（ａ）ナイロン、（ｂ）ポリエステル、（ｃ）ナイロン９０％とポリウレタン１０％との混紡、（ｄ）ポリエステル９０％とポリウレタン１０％との混紡から選ばれることを特徴とする請求項１に記載の足湯用長靴形状軟質槽。
【請求項３】
槽胴部内面に下肢部皮膚を総胴部表面から離開する微細な突状部を有し平滑ではない表面であることを特徴とする請求項１又は２に記載の足湯用長靴形状軟質槽。
【請求項４】
突状部が微細な突起又は舌片であることを特徴とする請求項１、２又は３に記載の足湯用長靴形状軟質槽。
【請求項５】
炭酸塩と有機酸とを含有し、前記炭酸塩が炭酸水素ナトリウム又は炭酸水素カリウムであり、前記有機酸がクエン酸、フマル酸、コハク酸、リンゴ酸の少なくとも１つを含む錠剤であり、摩損度が１０．０ｗｔ％以下であり、湯水に溶解した直後のｐＨが５．５から９．０である固形浴剤を、
長靴形状軟質槽に溶解又は該固形浴剤を溶解した溶液を該長靴形状軟質槽に注入し、重炭酸イオンによって該長靴形状軟質槽に挿入された下肢の温まり効果の持続性を得る足湯温まり方法であって、
前記長靴形状軟質槽が、槽胴部及び槽底部を有し、クロロプレンゴム発泡体その他のゴム発泡体にジャージ類をラミネートした複合素材であるフレキシブル保温部材から成っていることを特徴とする足湯温まり方法。
【請求項６】
固形浴剤の硬度が１５ｋｇ以上であることを特徴とする請求項５に記載の足湯温まり方法。
【請求項７】
固形浴剤の直径及び厚みが７ｍｍ以上であることを特徴とする請求項５又は６に記載の足湯温まり方法。
【請求項８】
炭酸塩と有機酸とを含有し、前記炭酸塩が炭酸水素ナトリウム又は炭酸水素カリウムであり、前記有機酸がクエン酸、フマル酸、コハク酸、リンゴ酸の少なくとも１つを含む錠剤であり、湯水に溶解した直後のｐＨが５．５から９．０である固形浴剤と、保温部材からなる長靴形状軟質槽との組合せから構成され、
前記固形浴剤を前記長靴形状軟質槽に溶解又は該固形浴剤を溶解した溶液を該長靴形状軟質槽に注入し、重炭酸イオンによって該長靴形状軟質槽に挿入された下肢の温まり効果の持続性を得る構成である足湯温まりセットであって、
前記長靴形状軟質槽が、槽胴部及び槽底部を有し、クロロプレンゴム発泡体その他のゴム発泡体にジャージ類をラミネートした複合素材であるフレキシブル保温部材から成っていることを特徴とする足湯温まりセット。
【請求項９】
固形浴剤の硬度が１５ｋｇ以上であることを特徴とする請求項８に記載の足湯温まりセット。
【請求項１０】
長靴形状軟質槽が、下肢を挿入させた状態における軟質槽内湯水を保温する保温部材を有することを特徴とする請求項８又は９に記載の足湯温まりセット。
【請求項１１】
保温部材が、長靴形状軟質槽の上端開口縁に被冠される断熱蓋部を有することを特徴とする請求項８、９又は１０に記載の足湯温まりセット。
【発明の詳細な説明】
【技術分野】
【０００１】
本発明は、足湯用長靴形状軟質槽並びに足湯温まり方法及び足湯温まりセットに関するものである。
【背景技術】
【０００２】
長靴形槽に下肢である脚を挿入し、脚の血管周りの気圧を減少させ、心臓の拍動に伴って脚廻りの血管のみに負圧に応じた血流増加を生じさせる技術が知られている（特許文献１）。
【０００３】
この技術によれば、筋肉疲労を改善することができるものの、負圧環境を維持するための装置が必要である。一方、従来から足湯と称される足湯温まり方法が知られており、家庭等でもバケツ等の道具に湯水を張って利用することが行われているが、ヒーター等の加温装置抜きには温まり効果の持続性を得ることは困難である。
【０００４】
そこで、下肢覆いカバー内に炭酸ガス・スチームを発生させるための炭酸ガス発生装置が知られている（特許文献２）。
【０００５】
この技術によれば、炭酸ガス及びスチームを下肢覆いカバー内に上昇させる構成であるので、家庭内での手軽な利用には程遠い技術であるだけでなく、温まり効果の持続性を得ることができなかった。
【先行技術文献】
【特許文献】
【０００６】
【特許文献１】特開２０１１−１０９９４号公報
【特許文献２】特開２００８−１１３７５０号公報
【発明の概要】
【発明が解決しようとする課題】
【０００７】
そこで、本発明の第１の目的は、少量の足湯液量で、足の自己体温で35度以上の液温が維持でき、家庭等でのTV鑑賞や炊事クッキングなどをしながら  またはオフイス等でも机に座ったまま、足湯利用を可能とし、加えて特別なヒーター等の加温設備無しに下肢温まり効果の持続性が得られる保温部材からなる足湯用長靴形状軟質槽並びに足湯温まり方法及び足湯温まりセットを提供することである。
【０００８】
本発明の第２の目的は、特定の固形浴剤と特定の材質からなる長靴形状軟質槽との組合せ構成によって、下肢温まり効果を更に持続させることができる足湯用長靴形状軟質槽並びに足湯温まり方法及び足湯温まりセットを提供することである。
【０００９】
本発明のその他の目的は、以下の記述によって明らかにされる。
なお、本発明において、「量」は、特に断りのない限り「質量」を表し、「％」は、特に断りのない限り「質量％」を表す。
【課題を解決するための手段】
【００１０】
上記課題を解決する本発明は、下記構成を有する。
［発明１］
槽胴部及び槽底部を有し、フレキシブル保温部材による足湯用長靴形状軟質槽において
、
該フレキシブル保温部材がクロロプレンゴム発泡体その他のゴム発泡体に、ジャージ類をラミネートした複合素材であることを特徴とする足湯用長靴形状軟質槽。
［発明２］
ジャージ類が（ａ）ナイロン、（ｂ）ポリエステル、（ｃ）ナイロン９０％とポリウレタン１０％との混紡、（ｄ）ポリエステル９０％とポリウレタン１０％との混紡から選ばれることを特徴とする上記発明１に記載の保温部材からなる足湯用長靴形状軟質槽。
［発明３］
槽胴部内面に下肢部皮膚を総胴部表面から離開する微細な突状部を有し平滑ではない表面であることを特徴とする上記発明１又は２に記載の足湯用長靴形状軟質槽。
［発明４］
突状部が微細な突起又は舌片であることを特徴とする上記発明１、２又は３に記載の足湯用長靴形状軟質槽。
［発明５］
炭酸塩と有機酸とを含有し、前記炭酸塩が炭酸水素ナトリウム又は炭酸水素カリウムであり、前記有機酸がクエン酸、フマル酸、コハク酸、リンゴ酸の少なくとも１つを含む錠剤であり、摩損度が１０．０ｗｔ％以下であり、湯水に溶解した直後のｐＨが５．５から９．０である固形浴剤を、
長靴形状軟質槽に溶解又は該固形浴剤を溶解した溶液を該長靴形状軟質槽に注入し、重炭酸イオンによって該長靴形状軟質槽に挿入された下肢の温まり効果の持続性を得る足湯温まり方法であって、
前記長靴形状軟質槽が、槽胴部及び槽底部を有し、クロロプレンゴム発泡体その他のゴム発泡体にジャージ類をラミネートした複合素材であるフレキシブル保温部材から成っていることを特徴とする足湯温まり方法。
［発明６］
固形浴剤の硬度が１５ｋｇ以上であることを特徴とする上記発明５に記載の足湯温まり方法。
［発明７］
固形浴剤の直径及び厚みが７ｍｍ以上であることを特徴とする上記発明５又は６に記載の足湯温まり方法。
［発明８］
炭酸塩と有機酸とを含有し、前記炭酸塩が炭酸水素ナトリウム又は炭酸水素カリウムであり、前記有機酸がクエン酸、フマル酸、コハク酸、リンゴ酸の少なくとも１つを含む錠剤であり、湯水に溶解した直後のｐＨが５．５から９．０である固形浴剤と、保温部材からなる長靴形状軟質槽との組合せから構成され、
前記固形浴剤を前記長靴形状軟質槽に溶解又は該固形浴剤を溶解した溶液を該長靴形状軟質槽に注入し、重炭酸イオンによって該長靴形状軟質槽に挿入された下肢の温まり効果の持続性を得る構成である足湯温まりセットであって、
前記長靴形状軟質槽が、槽胴部及び槽底部を有し、クロロプレンゴム発泡体その他のゴム発泡体にジャージ類をラミネートした複合素材であるフレキシブル保温部材から成っていることを特徴とする足湯温まりセット。
［発明９］
固形浴剤の硬度が１５ｋｇ以上であることを特徴とする上記発明８に記載の足湯温まりセット。
［発明１０］
長靴形状軟質槽が、下肢を挿入させた状態における軟質槽内湯水を保温する保温部材を有することを特徴とする上記発明８又は９に記載の足湯温まりセット。
［発明１１］
保温部材が、長靴形状軟質槽の上端開口縁に被冠される断熱蓋部を有することを特徴とする上記発明８、９又は１０に記載の足湯温まりセット。
【発明の効果】
【００１１】
本発明、とりわけ５〜１１によれば、長靴形状軟質槽中に張られた湯水中に投入された固形浴剤からミクロ級の泡となって発生した炭酸ガスは、湯水のｐＨによって速やかに重炭酸イオンに変化し湯水中に溶解し、空気中に逃げるのを抑制して高濃度に効率よく重炭酸イオンと水素イオンに解離して溶解し、重炭酸イオンはそのまま速やかに下肢皮膚やその血管に吸収され、血流が高められ、保温部材からなる足湯セットとの組み合わせによって  足が温まり、水温が維持され、さらなる効果を発揮することで下肢温まり効果の持続性が得られる足湯温まり方法及び足湯温まりセット並びにこの足湯に寄与する足湯用長靴形状軟質槽を提供できるようになった。
即ち、本発明は特別な組成の重炭酸固形入浴剤と組み合わせによる、特有構成の長靴形状軟質槽及びこれを利用した足湯において、下肢温まり効果の持続性が得られる足湯温まり方法及び足湯温まりセット並びにこの足湯に寄与する足湯用長靴形状軟質槽を提供できるようになったことが特徴であり、本発明者らは、実験によってこの点を究明することに成功した。
【００１２】
さらに本発明、とりわけ５〜１１によれば、高濃度の重炭酸イオンと溶液ｐＨ規定の固形浴剤の実現により、重炭酸イオンがフリーに存在でき、この重炭酸イオンがその下肢皮膚の皮脂腺についたミネラルイオンをフリーな重炭酸イオンが取り去り、そのミネラル汚れが原因となっていた下肢臭を取り去ることができるようになった。即ち、本発明において「ミネラル汚れ」とは、次の意味である。
皮脂腺から出る体内の排泄ミネラル分が皮膚表面のケラチンのマイナス面とイオン結合し、永久汚れとなって皮脂などと共に地肌に固着し蓄積して頑固な汚れの原因及び臭いの元になっていた。
このミネラル分はプラスのイオンで、マイナスに帯電している地肌等に静電気的に結合しており、地肌等よりも強くマイナス帯電している重炭酸イオンを用いれば、このミネラル汚れを引き寄せ、洗い落とすことができることを本発明者らは見出した。温まりの効果の発見と合わせ足湯において有意な組み合わせの効果となる。  
【００１３】
さらに本発明、とりわけ５〜１１によれば、固形浴剤を粉・粒体・錠剤等固形にして、特定の中性〜弱アルカリｐＨでより炭酸ガスの発生を活発にでき顕著な発明の効果を得ることができ、特に前記発明５〜９によれば、錠剤で投入した場合の中和反応を活発にでき、本発明の効果が顕著である。
【００１４】
前記発明５〜９によれば、効率よく長時間一定径以下のミクロサイズの炭酸ガス泡をゆっくり発生させ続けられるようになり、かつ固形浴剤溶解後の水溶液のｐＨを炭酸ガスが容易に重炭酸イオンに中和され高濃度に溶解できる値とすることができ、かつ固形浴剤中の中和反応性を損なわず、十分な炭酸ガス濃度も維持でき、クエン酸、コハク酸、フマル酸、リンゴ酸の場合に効果は高いが、皮膚親和性からクエン酸が最も高い効果を発揮する。またより重炭酸イオンの経皮吸収を高め、健康と美容効果の高い足湯温まり方法及び足湯温まりセットを提供できるようになった。
【００１５】
本発明、とりわけ５〜９によれば、固形浴剤を例えば錠剤とすることができ、錠剤内部での酸性成分が高濃度に溶解し接触し中和反応が起こりやすくかつ、内部でのミクロサイズの細かい炭酸ガスの泡の発生を効率よく起こさせ、ミクロサイズの泡を継続的に長時間にわたって発生させることができ、水中に溶解する炭酸ガス成分濃度を最大に溶解させることができ、本発明の効果を顕著にできる。
【図面の簡単な説明】
【００１６】
【図１】本発明に係る長靴形状軟質槽の実施例を示す斜視図
【図２】同上の足湯中を示す断面図であって、フレキシブル保温部材の部分拡大図を含む
【図３】本発明の参考例に係る長靴形状軟質槽の実施例を示す斜視図
【図４】同上の足湯中を示す断面図
【図５】同上の突状部としての舌片を有する隔離軟質部材を示す斜視図
【図６】同上の上記隔離軟質部材を用いたときの足湯中の一部切欠側面図
【図７】保温用の断熱蓋を示す斜視図
【００１７】
まず、本発明に係る長靴形状軟質槽について説明する
本発明の実施例は図１及び図２に示されている。
１はフレキシブル保温部材から成る足湯用長靴形状軟質槽であって、該フレキシブル保温部材はクロロプレンゴム発泡体その他のゴム発泡体１Ａに、ジャージ類１Ｂをラミネートした複合素材から成っており、該ジャージ類１Ｂは、（ａ）ナイロン、（ｂ）ポリエステル、（ｃ）ナイロン９０％とポリウレタン１０％との混紡、（ｄ）ポリエステル９０％とポリウレタン１０％との混紡等から選ばれることが好ましい。
【００１８】
本発明に係る足湯用長靴形状軟質槽１は、槽胴部２、槽足部３及び槽底部４を有しており、槽底部４は一般的に長靴に設けられている歩行用靴底を有していない。このため、室内用として好適であり、例え畳敷き和室における利用も可能である。
【００１９】
本発明に係る足湯用長靴形状軟質槽は、足を挿入した際は、槽胴部２との間に間隙（Ｇ）を形成する大きさを有すると共に、足の部分もまた槽足部３との間に間隙（Ｇ）を形成する大きさを有する。
【００２０】
本発明の参考例は、図３〜図７に示されている。
１は長靴形状軟質槽であって、天然又は合成ゴムや軟質合成樹脂等のフレキシブル素材によって形成されており、脚を挿入した際、槽胴部２との間に間隙（Ｇ）を形成する大きさを有すると共に、足の部分もまた槽足部３との間に間隙（Ｇ）を形成する大きさを有する。更に、足裏とこれが接する槽底部４との間には突起５を設けて、足裏と槽底部４との間にもまた間隙（Ｇ）が形成される構成である。
【００２１】
上記槽胴部２と脚との間の間隙（Ｇ）を保持するための突状部６が設けられ、この突状部６としては、突起６ａや舌片６ｂが好ましい。前者の突起６ａは、第４図に示すように、相隣接する突起６ａとの間に間隙を空け散在させて突設することが好ましい。
【００２２】
一方、後者の舌片６ｂは、第５図に示すように、相隣接する舌片６ｂとの間に間隙を空けて散在させ突設することが好ましい。この場合、第６図に示すように、脚を軟質槽１に挿入した際、各舌片６ｂの先端が足に押圧された状態で下方側に湾曲し、間隙（Ｇ）を形成する。
【００２３】
本発明の参考例に係る長靴形状軟質槽１は、脚を挿入した状態における軟質槽１内の湯水を保温する断熱蓋７を用いることが好ましく、この断熱蓋７は軟質槽１の上端開口縁に被冠される断熱蓋部８を有し、この蓋部８は脚挿入孔９を有し、蓋部８を区切る切れ目１０を有する。
なお、湯水の保温性を維持するため、結束具等によって軟質槽１の上端縁を結束して閉鎖する等の構成を採用してもよい。このように軟質槽１の上端縁に結束して閉鎖すれば、軟質槽１中に張られた湯水の温度が維持される。このような結束具は携帯・収納にも寄与する。
即ち、このような例が本発明に係る図１に図示されており、いわゆるマジックテープ（登録商標）１１の一方（例えば雌部）１１Ａが、軟質槽１の槽胴部２上端部分に固着され
ており、ゴム帯状部１２が該雌部１１Ａに連設され、該ゴム帯状部１２の先端部分にマジックテープ（登録商標）の他方（例えば、雄部）１１Ｂが固着されている。
この例によれば、本発明に係る軟質槽１は、不使用時には、槽底部４を槽足部３とともに槽胴部２側に折込み重畳し、続けて槽胴部２を順次折込み重畳して巻き込み、この重畳・巻き込み状態において、前記マジックテープ（登録商標）にて巻き付け、雌部１１Ａに雄部１１Ｂを固着すれば、携帯することも収納することも容易となる。
【００２４】
上記本発明の参考例及び本発明によれば、長靴形状軟質槽１の上端縁に被冠された断熱蓋７の脚挿入孔９から脚を挿入すると、切れ目１０の存在によって、切れ目１０を有する蓋部８が脚の皮膚に接触したまま下方へ湾曲し、軟質槽１の湯水と外気とを遮断することととなり、湯水の保温性を維持することができる。
本発明の参考例及び本発明に係る長靴形状軟質槽１は、複数回使用又は単数回使用のいずれの使用（構造）としてもよく、特に１回使用構造（いわゆる使い捨て。）とすることによって、スポーツ会場等における不特定多数人に対し、本発明の足湯効果を享受させることができる。更に、第５図に示す舌片６ｂを横方向には間断なく連続的に突設すれば、長靴形状軟質槽１内の湯水に対する断熱保温効果も発揮される。
【００２５】
なお、上記本発明及び参考例において用いられる突状部６、突起６ａ、舌片６ｂ、断熱蓋７、断熱蓋部８、脚挿入孔９及び切れ目１０並びに「結束具」等の構成については、上記例に限定されない。
【００２６】
本発明は、上記参考例における突状部６は必須ではなく、例え０．０５ｍｍ以上の突部がクロロプレンゴム発泡体その他のゴム発泡体１Ａの表面側に設けられるだけでも、より良好な保温効果が発揮される。
本発明は、上記長靴形状軟質槽１に、下記固形浴剤を溶解した溶液（溶解湯水）を注入すること、又は長靴形状軟質槽１に湯水を張り、下記固形浴剤を投入して溶解湯水とすることのいずれであってもよい。
以下、本発明の参考例に用いられる固形浴剤について説明し、本発明に係る固形浴剤についても併せ説明する。
【００２７】
本発明者らは、炭酸ガスは特にｐＨ６．２以上では２８％以上が重炭酸イオンとして存在し、この重炭酸イオンが、皮膚のバリア層を全く破壊せず、古い角質も含めた汚れを除去し、界面活性剤では十分に落とせなかった脚のミネラル汚れも重炭酸イオンがイオン包接し、除去できることを知見した。
【００２８】
また、足湯であるにも拘らず、重炭酸イオンが経皮吸収し、血流を向上し、副交感神経を優位として非常にリラックスでき、よい睡眠（熟睡）が取れる予想もつかない効果があることも本発明者らは突き止めた。
【００２９】
下記Ｂ群から選ばれる化合物（Ｂ群化合物という。）が少なくとも０．０３質量％〜０．１８質量％であると本発明の効果を良好に奏する。更に、この範囲にあると、殺菌作用が良好に現れ、本発明の効果を相乗的に奏することが判明した。ただし、このＢ群化合物は、本発明の参考発明における必須成分ではあるが、本発明の必須成分ではない。
［Ｂ群化合物］
イソプロピルメチルフェノール、サリチル酸、トリクロ酸、グリチルリチン酸、β−グリチルリチン酸、トリクロロカルバニリド、塩化ベンザルコニウム
【００３０】
本発明の参考例は水溶性珪素ないし水溶性珪素化合物を含有することが望ましく、その含有量は０．５質量％から５．０質量％である。ただし、この化合物は本発明における必須成分ではない。
【００３１】
更に、本発明の参考例及び本発明において、固形浴剤が錠剤型浴剤である場合は、錠剤硬度を１５ｋｇ以上、特に２５ｋｇ以上とすることが好ましく、錠剤成型の安定性に効果を奏する。錠剤摩損度が１０．０ｗｔ％以下の場合は、錠剤内部での酸性成分が高濃度に溶解し接触し中和反応が起こりやすくかつ、内部でのミクロサイズの細かい炭酸ガスの泡の発生を効率よく起こさせ、ミクロサイズの泡を継続的に長時間にわたって発生させることができ、水中に溶解する炭酸ガス成分濃度を最大にすることができ、本発明の効果を顕著にできる。摩損度が５．０ｗｔ％以下の場合は、上記ミクロサイズの細かい炭酸ガスの泡の発生をより効率良く起こさせ、本発明の効果よりよく発揮してより好ましく、摩損度が３．０ｗｔ％以下であれば最も好ましい。
【００３２】
上記錠剤の摩損度の測定法について説明する。摩損度は、錠剤摩損度試験器(萱垣医理
科工業株式会社製)に錠剤重量が３１ｇ以上となるように錠剤を入れる。例えば、１錠剤
の重量が１５ｇの場合は、錠剤を３錠入れ、２分間回転する（回転速度は、25回転/分）
。終了後の各錠剤の表面の粉をブラシ（例えば化学天秤の清掃用に使用されるブラシ。）で払い（摩損）、下記式で求める。
［(摩損前錠剤重量（ｇ）総和−摩損後の錠剤重量（ｇ）総和)/摩損前錠剤重量（ｇ）
総和］×１００＝錠剤摩損度（ｗｔ％）
なお、例えば、１錠の錠剤重量が４０ｇの場合は、１錠入れ、また６０ｇの場合も、１錠入れ、１錠剤が１６．５ｇの場合は、２錠入れる。
【００３３】
上述の通り、錠剤摩損度が１０．０ｗｔ％以下では、各成分の結合力が向上して、錠剤中のミクロサイズの発泡をゆっくり起こさせ、液中への炭酸ガスの溶解を効率的にコントロールできる。そのため摩損度は、１０．０ｗｔ％以下が好ましく、５．０ｗｔ％以下がより好ましく、３．０ｗｔ％以下が特に好ましい。本発明内の摩損度は、錠剤の溶解が開始した後の錠剤中での炭酸ガスの発生がより効率的に起こり、水中への炭酸ガスの溶解が効率的に行われ、泡の径が細かくなり、ミクロサイズの泡が続けて発生して、本発明の効果を良好に奏する。
【００３４】
本発明は、そのハンドリングの容易さによって、粉状浴剤よりも、更に顆粒状浴剤よりも錠剤浴剤であることが好ましい。
【００３５】
本発明の固形浴剤は、本発明に係る長靴形状軟質槽に約４０℃のお湯を入れ、溶解した後、この溶液中に下肢例えば膝から下の脚を浸し、少なくとも５分間、好ましくは１０分間（特に１５〜２０分間、最も好ましくはそれ以上の３０分間。）浸して足湯することで、本発明の効果を良好に奏する。
【００３６】
有機酸としては、クエン酸を用いることが他の有機酸を用いた場合より、炭酸塩との中和反応が効果的に起きるため、本発明の効果をより顕著に発揮することができる。
【００３７】
本発明及び参考例に好ましく用いられる水溶性珪素ないし水溶性珪素化合物は、例えば、シリカ（ＳｉＯ３）、オルト珪酸など公知公用のいずれも用いることができ、株式会社リンクスからＵＭＯミクロンパウダー及び微粒珪素パウダーの名称で入手することもできる。
【００３８】
本発明における「界面活性剤」とは、当業者において周知の全ての化合物、物質を包含する意義である。
【発明を実施するための形態】
【００３９】
以下、本発明について更に詳細に説明する。
本発明では固形浴剤が溶けた直後のｐＨが、特定値の中性ないし弱アルカリ性であっても、浴剤中では中和反応が効率よく起きる環境が出現し、かつ反応を一定時間継続的に起こさせ、水中に溶解する炭酸ガス濃度を充分高くして、溶解した炭酸成分を高濃度の重炭酸イオンとすることができ、一部を湯水中のフリーの重炭酸イオンとすることができる。
【００４０】
本発明での固形浴剤溶解直後のｐＨは溶解した炭酸ガス成分が中和され重炭酸イオンとして高濃度に溶解せしめるためにｐＨ５．５から９．０、特にｐＨ６．２から８．０の範囲にあることが重要であり、望ましくはｐＨ７．０から８．０の範囲であることが炭酸ガスの発生と重炭酸イオンへの効率よい変換が起こる点、特に実質的に界面活性剤や重炭酸イオン封鎖物質を含有しない構成のとき、本発明効果を高める。
【００４１】
溶解直後のｐＨという意味は、固形浴剤が溶解直後から、重炭酸イオンは中性ｐＨ付近であっても炭酸ガスを自然に揮発させｐＨは徐々に上昇していくものであり、たとえば溶解直後のｐＨが７．０であっても２４時間後はｐＨは７．３くらいに変化し、またジェットバスなどで空気を吹き込むことでさらにｐＨは上昇する。したがって溶解後のｐＨは溶解直後のｐＨで規定するのが妥当である。
【００４２】
本発明の固形浴剤の必要量は湯水２００リッターあたり２０ｇから１００ｇ（０．０１％から５％）程度であり、本発明の足湯の場合、例えば湯水が片脚当たり０．１から２リッター程度の割合となり、参考例におけるフレキシブル素材及び本発明のフレキシブル保温部材（使い捨てである場合を含む。）の密着型の場合は片脚当たり０．１リッター以下の場合もある。固形浴剤が溶けた直後のｐＨが重炭酸イオンを高濃度に存在させるために必要なｐＨ値とする。
【００４３】
本発明に係る固形浴剤は、必要に応じて酸又はアルカリのｐＨ調整剤によって本発明のｐＨ値となるようにすると、効率よく中和反応が起こり、湯水中に溶解するのに適度な速度で炭酸ガスを発生させ、固形浴剤が溶解し終わった湯水や水溶液のｐＨは特定値の中性にすることができる点が本発明の特徴の一つである。特に重炭酸ナトリウムを使ってｐＨを調整することが好ましい実施態様である。
【００４４】
本来、中性では中和反応は起こり難いが、粉・粒剤ないし錠剤中では重炭酸塩と有機酸が高濃度に接触し、中和反応を起こしながら、溶解した大量の湯水のｐＨを、本発明の範囲にすることができる。
【００４５】
本発明において、重炭酸塩（好ましくは重炭酸ナトリウム）に対する有機酸の添加量は、ｐＨ調整さえ本発明範囲であればよいが、望ましくは１／１００〜２／３であり、特に１／５０〜１／３が好ましい。
【００４６】
その結果、発生した炭酸成分は中和され重炭酸イオンとなるが、仮に最初から重炭酸塩を投入しても、例えば脚が温まるという足湯効果は全く得られないことから、自然炭酸泉と同じように、炭酸ガスを発生させ、その炭酸ガスを経由して重炭酸イオンとなるような仕組みを経ない限り、本発明の効果は得られないという驚くべき発見をしたものと、本発明者らは自負している。
【００４７】
このように湯水が中性状態で、重炭酸塩と有機酸であるクエン酸等がゆっくり細かく反応することで、高い足湯効果がえられ、付加価値の高い商品を提供することができる。
【００４８】
本発明の上記効果は、重炭酸塩と有機酸（特にクエン酸）をポリエチレングリコールで造粒し、それぞれを一定比率内の条件で混合し、固形浴剤は溶解直後のｐＨが一定範囲となるよう設計することで、浴剤に湯水が浸透するとき激しく均一にかつ持続的に反応し、
かつ発生する炭酸ガス泡はミクロサイズの微細炭酸ガスとして発生させ、浴剤は最後まで小さく細かい泡を多数発生し、泡が空気中に出る前に湯水に溶解してしまい、液中の炭酸ガスと溶解する重炭酸イオンの濃度をいやがうえにも大きくでき、炭酸ガスが溶解し重炭酸イオンとなった水のｐＨは５．５から９．０、好ましくは６．２から８．０となるように、かつｎ−オクタンスルホン酸塩等の本発明の滑沢剤を含有し、更に好ましくは実質的に界面活性剤や重炭酸イオン封鎖物質を含有しない構成に調整された浴剤にすることで、本発明の効果が最大に発揮される。ただし、上記本発明の滑沢剤は必須成分ではない。
【００４９】
さらに本発明では、重炭酸塩の混合物が流動層を用いて、ポリエチレングリコール（ＰＥＧ）で、コーテイングして作成された造粒物であることにより、錠剤中での均一な反応など、本発明の効果の発現が大きく発揮される。
【００５０】
また本発明では、本発明の固形浴剤を錠剤とした場合、錠剤硬度が高いほど、溶液は中性となるにもかかわらず、錠剤内部での中和反応効率を最大にできる。
【００５１】
本発明においては上記重炭酸イオン封鎖物質を含有しない浴剤であることが好ましく、ここで重炭酸イオン封鎖物質とは、カルシウム及びマグネシウム等のミネラル成分を含む有機、無機化合物であり、具体的には硫酸カルシウム、ケイ酸カルシウム、炭酸カルシウム、酸化カルシウム、水酸化カルシウムなどのカルシウム塩、及び硫酸マグネシウム、ケイ酸マグネシウム、炭酸マグネシウム、酸化マグネシウム、水酸化マグネシウム、ステアリン酸マグネシウムなどのマグネシウム塩をいう。
【００５２】
具体例は上記の通りであるが、この他カルシウム及びマグネシウムを含む化合物であれば、同じように重炭酸イオンを封鎖する作用があり、これらの重炭酸イオン封鎖化合物を含まないことが本発明の効果を発揮する上で好ましい。
【００５３】
ただし、本発明は水溶性珪素を含有することが好ましいが、必須成分ではない。水溶性珪素としては、公知公用のいずれのものを用いてもよい。特に、水溶性珪素は、株式会社リンクスからＵＭＯミクロンパウダー及び微粒珪素パウダーの名称で入手することができ、ＵＭＯミクロンパウダーを使用すると、本発明の効果を顕著に表すことができる。又、株式会社メディエーションズから販売されている植物由来の水溶性珪素を入手することができ、これもＵＭＯミクロンパウダー同様な顕著な効果が見られた。
【００５４】
本発明に用いられる有機酸としてはクエン酸、フマル酸、コハク酸、リンゴ酸などが用いられるが、少なくともクエン酸を含む有機酸を用いることが、浴剤中の中和反応をより効果的に持続的かつ微細な泡を発生させることができ、好ましい化合物として本発明の効果をより顕著に発揮することができる。
【００５５】
なお、本発明に係る固形浴剤を製造する際、重炭酸塩又は有機酸の少なくともいずれか一方を流動層で造粒し造粒物を得る場合、実質的に空気を攪拌作用として使用しない機械式流動層造粒機を用いた場合において、錠剤中の反応を効率的に高められる。機械式撹拌方式の流動層としては、撹拌に空気を用いた流動を行わず、プロペラなどの機械式羽などを用いて粉体を流動させるため、造粒中に湿気のある空気から持ち込まれる水分を吸湿することもなく、造粒中に減圧ポンプで真空にすることも可能となり、ＰＥＧの量を下げて造粒できるため、中和反応をより活発にしながら、発泡する泡の径を極めて小さくできる効果が発揮できるため好ましく使われる。
【００５６】
実質的に空気を攪拌作用として使用しない機械式流動層造粒機とは、横型ドラムの中にすき状ショベルを配し、遠心拡散及び渦流作用を起こさせ、三次元流動させる混合機のことで、例えば、ドイツレーディゲ社製又は松坂技研社製として市場で販売されている。
【００５７】
本造粒機には、減圧するための真空ポンプが付いていることがより好ましい。即ち、冷却時に減圧し、少しでも水分が飛ぶように操作して、本発明の効果を向上させる上で好ましい。更に、造粒した顆粒が冷却時に粗大粒子になるのを防止するためのチョッパーが付いていることが好ましい。即ち、チョッパーを冷却時に作動させて、整粒することにより、本発明の炭酸ガス泡の径をミクロサイズに、より微細にする効果が発揮され、本発明による摩損度規定と相まってミクロサイズの泡が続けて発生する本発明の効果を発揮でき、より好ましい造粒方法となる。
【００５８】
本発明ではもっとも好ましい製造方法は、重炭酸ナトリウムをＰＥＧと機械式撹拌方式を用いた流動層造粒機によって造粒し、この造粒物に一定比率の量の有機酸と無水炭酸ナトリウム及びＰＥＧを加え、混合後、高圧で圧縮成型し固形浴剤として得ることで、本発明の効果が大きく発揮される。
【００５９】
もちろん有機酸を主とする混合物もＰＥＧを用いて造粒し、重炭酸塩を造粒せずにＰＥＧと混合しただけで、有機酸造粒物と混合して圧縮成型し錠剤を得ることも、造粒する化合物の量が相対的に少なく工程的な面からの製造方法としては好ましい方法となるが、いずれにしろ、コストの面からは重炭酸塩、もしくは有機酸のどちらか一方を造粒し、片方は混合するだけで製造することが望ましい。この造粒物を粉剤のまま使用することでも本発明の効果を大きく発揮するが、圧縮成形して一剤の錠剤とすることで本発明の中和反応を長時間維持し溶解する炭酸ガスを増大させることができる。ただし、重炭酸塩と有機酸の両方をいずれもＰＥＧと、混合もしくはコーテイングして使用することも好ましい製造方式である。
【００６０】
本発明で使用するＰＥＧは、平均分子量が１０００〜８０００のものが本発明の効果を奏する点で好ましい。ロータリー式打錠機の如き圧縮成形打錠機による成形安定性、杵付着耐性、キャッピング、錠剤成型速度の向上の点より、平均分子量１４５０又は６０００程度のＰＥＧが、造粒結果を好ましいものとすることができ、粉・粒剤または錠剤を湯水中に溶解した場合、炭酸ガス成分を重炭酸イオンに最大に溶解させることができ、粉・粒剤ないし錠剤からなる本発明の固形浴剤は、硬度も厚みも直径もいずれも大きくなるほど、本発明の効果を顕著にできる。
【００６１】
重炭酸塩（炭酸水素ナトリウム又は炭酸水素カリウム）の造粒物Ａもしくは混合物Ａ１００質量部に対するＰＥＧの比率は、１／１００から１／５、特に好ましくは１／１００から１／１０であり、ＰＥＧの比率が上記量よりも少ないと、炭酸ガス泡の径が大きくなり発泡時間も短くなり、湯水に溶解する炭酸ガス成分を大きくできないことがあり、一方、ＰＥＧの量が上記よりも多くなると、発生する泡の量が抑えられ、同じように溶解する炭酸ガスの量が小さくなってしまうことがある。
【００６２】
また、本発明では重炭酸塩の造粒物ＡもしくはＰＥＧ混合物Ａを得たのち、有機酸もしくは有機酸造粒物Ｂ、あるいはＰＥＧ有機酸混合物を添加する工程で、無水炭酸ナトリウムや無水炭酸カリウムなどの無水物を添加することにより、本発明の効果をより顕著に発揮させることができ、炭酸ガスの泡径を最適な微細なものとしながら、発泡量をより多く、且つ長時間持続させる効果が得られることが判った。
【００６３】
またこの無水物の効果としては、無水炭酸ナトリウムがより好ましい本発明の効果を発揮させる化合物である。
【００６４】
更に本発明では、有機酸を造粒せず、造粒物Ａと有機酸にＰＥＧを加え混合するだけで、固形粉・粒剤もしくは圧縮成型して錠剤とする場合に、本発明のミクロサイズの泡を長
時間発泡させ、湯水の中に溶解する炭酸ガス成分を大きくできることが判明し、良好な浴剤を得ることができた。この場合、工程を大幅に省略でき、コスト的な効果も合わせて望ましい製造方法である。
【００６５】
一方、有機酸をＰＥＧで造粒し、重炭酸塩とＰＥＧを一定温度で混合するだけで、圧縮成型する場合にも、本発明のミクロサイズの泡を長時間発泡させ、湯水の中に溶解する炭酸ガス成分を最大にし、工程を大幅に省略できコスト的な効果も合わせると、望ましい製造方法であることが判った。
【００６６】
この製造方法における有機酸に対するＰＥＧの使用比率は、有機酸１００質量部に対し５から１５質量部であることが好ましい。
【００６７】
重炭酸塩の造粒物ＡもしくはＰＥＧ混合物Ａに対する有機酸もしくは有機酸混合物Ｂもしくは有機酸造粒物Ｂの添加量は、特定されないが、好ましくは１／１００から２／３、特に好ましくは１／１０から１／３であることが、本発明の効果を最大に発揮し望ましい。
【００６８】
有機酸は無水物の添加によって、特に造粒しなくても本発明の効果が得られるが、より好ましくは、ＰＥＧと一緒に添加するか、ＰＥＧ造粒物Ｂとし、造粒物Ａと混合して粉剤もしくは圧縮成型で錠剤化することが、好ましい中和反応性のある固形浴剤を製剤することができる。
【００６９】
更に、本発明では、前記造粒物Ａもしくは混合物Ａを作成する工程や、又は造粒物Ａと有機酸もしくは造粒物Ｂを混合する工程など、粉・粒剤化もしくは圧縮成型化のいずれかの工程に上記無水物を添加することが好ましい効果を発揮する。
【００７０】
なお、本発明では粉剤混合時や錠剤成形のため使用することが望ましい化合物として、Ａ群化合物を挙げることができるが、必須成分ではない。
［Ａ群化合物］
ラウリル硫酸ナトリウム、ラウロイルサルコシン酸ナトリウム、ミリストイルメチルアラニンナトリウム、ラウリルスルホン酸ナトリウム、ｎ−（ノルマル）オクタンスルホン酸ナトリウム、テトラデセンスルホン酸ナトリウム、ヤシ油脂肪酸エチルエステルスルホン酸ナトリウム及びショ糖脂肪酸エステル特にショ糖ラウリン酸エステル、ショ糖ミリスチン酸エステル、ショ糖パルミチン酸エステル
これらの中でも、本発明の目的の効果を顕著に得ることができるのは、ｎ−（ノルマル）オクタンスルホン酸ナトリウム、ｎ−ヘプタンスルホン酸ナトリウム及びテトラデセンスルホン酸ナトリウムである。即ち、この化合物は、本発明に係る浴剤が湯水に溶解された際、ミクロサイズの発泡を行わせ、溶解後のこの湯水の透明性を維持するだけでなく、浴剤による脚温まり持続効果が向上し、しかもぐっすり睡眠時間を得る点でも好ましい効果を発揮する。
上記、粉剤混合時や錠剤成形のため使用する化合物の添加量は、本発明に係る固形浴剤の０．０００５〜０．０１質量％程度でよい。
【００７１】
本発明には、主成分のほかには、その他の成分（添加物）を必要に応じて混合することができる。その他の添加物として、ヒアルロン酸などの健康成分や香料、色素等が挙げられる。
【００７２】
前記有機酸もしくは有機酸の混合物Ｂや造粒物Ｂには、炭酸ナトリウムなどの無水物や、香料、色素及びＰＥＧなどが望ましい添加物として挙げられる。
【００７３】
粉剤を混合もしくは錠剤を作製する圧縮成形には、公知の圧縮成形機を特別の制限なく使用でき、例えば、油圧プレス機、単発式打錠機、ロータリー式打錠機、ブリケッティングマシンなどを用いることができる。この打錠機などに用いる杵の大きさは、杵が円形である場合は直径が７mm以上であることが好ましく、杵が三角形や四角形の場合、円形杵に換算して直径が７mm以上となるものが好ましい。そして杵の厚みについても同様である。円形の打錠品を得る場合、錠剤の直径は７mm以上が望ましく、より望ましくは１０mm以上とし、厚みも７mm以上、好ましくは１０mm以上とし、三角形や四角形等の錠剤とされる場合、円形錠剤に換算して、上記とすることがより好ましい。
【００７４】
上記のように、錠剤とした場合、必ずしも平面を持つ円形でなくてもよく、７ｍｍ以上の固形物であれば、楕円形でもタブレットでも球体でも、形は何ら制限されない。
【００７５】
本発明は、堅い一定サイズ以上の固形浴剤中でミクロサイズの発泡をゆっくり起こさせ、液中への炭酸ガスの溶解をより効率的に行うことが好ましく、そのため硬度は１５ｋｇ以上、特に３０kg以上が好ましく、直径や厚みは７ｍｍ以上が好ましく、硬度は特に好ましくは６０kg以上であり、硬度は高いほど錠剤中での炭酸ガスの発生がより効果的に起こり湯水中への炭酸ガスの溶解が効率的に行われ、泡の径が細かくなり、好ましい結果を生じる。
【００７６】
以下、本発明の固形浴剤を錠剤とする場合における好ましい要件である硬度について説明する。
【００７７】
本発明を実現するため、多くの特許明細書の実施例で用いている直径方向からの錠剤破壊強度としての硬度を測定してみた。
【００７８】
この方法では、錠剤の破壊強度を測定することになるが、直径方向の硬度測定方法として岡田精工社製デジタル錠剤硬度計ニュー・スピードチェッカーＴＳ７５ＮＬを用いて錠剤の硬度［kg］を４回測定した。この場合、硬度に再現性があり、値の大きなばらつきは見られなかった。
【００７９】
本発明の好ましい錠剤の条件である、湯水中で発生する炭酸ガスの泡径を目視で測定すると、錠剤径が７ｍｍ以下でかつ泡の合併がなく均一に発生し、中和反応が終わり錠剤が解けきるまで錠剤は湯水底に沈んだままで反応し、炭酸ガスを効率的に湯水中に溶解できるように、試験生産した錠剤の７ロットのサンプル１２種を用いて、錠剤硬度を測定してみても、４回測定の平均値であれば、測定値の振れ幅は無視でき、表面平均硬度が１５kg以上、好ましくは１８ｋｇ以上（より好ましくは２５kg以上、もっとも好ましくは３０ｋｇ以上、特に６０ｋｇ以上）の錠剤となっていることが確認できた。
【００８０】
なお、本発明は実質的に重炭酸イオン封鎖物質を含有しない構成であることが好ましい。ただし、本発明における必須構成ではない。本発明において重炭酸イオン封鎖物質とは、前記の通り、カルシウム、マグネシウム等のミネラル成分を含む、無機化合物及び有機化合物である。
【００８１】
本発明において、重炭酸イオン封鎖物質が存在すると、本発明によって湯水中に生じた重炭酸イオンを封鎖してしまうこととなり、このため、脚の蛋白質やケラチンとイオン結合しているミネラル汚れに付着して溶解させるという作用を果たすことができない場合があるだけでなく、足湯温まり持続効果も、ぐっすり睡眠時間効果も充分には得られない場合がある。一方、重炭酸イオン封鎖物質が存在しない構成にすると、本発明の効果が期待できる。
【００８２】
本発明においては、本発明の化合物以外の化合物はできるだけ添加しないことが望ましいが、重炭酸イオン封鎖物質に属さない酸性成分やアルカリ成分、香り成分、必要に応じてにごり温泉成分等を１又は２以上添加することもできる。
【００８３】
本発明では、重炭酸塩量に対する有機酸成分が本発明の好ましい範囲より多くなれば、泡の径が大きく、反応も激しく短時間で反応が終わってしまう場合があり、また重炭酸塩量に対する有機酸成分の量が少なすぎると、中和反応は効率的に起こらず発生する炭酸ガスは少なくなり、本発明の効果は発揮されない場合がある。
【００８４】
なお、重炭酸塩の量が少なすぎると、ＰＥＧの使用量を増さなければならず、そうしないと、中和反応が激しすぎて泡の径が大きくなり、本発明の効果が損なわれたりする場合がある。また重炭酸塩の量や、有機酸の量に対し、ＰＥＧの量が多かったり少なかったりする場合にも、中和反応が均一に持続的に起こらず、泡の径も一定にならない場合がある。
【００８５】
上記のように、本発明の必要成分を好ましい量比で添加した上で、本発明の効果が充分発揮されるようなｐＨ調整剤を添加して、溶解後の湯水中のｐＨを本発明範囲内にすることは望ましい実施態様である。
【００８６】
本発明に用いられるｐＨ調整剤としては、炭酸ナトリウムや硫酸、もしくは有機酸が好ましく用いられるがそのた、公知公用のいずれのものも特別の制限なく使用でき、特に食品添加物としてのｐＨ調整剤を用いることが、浴剤は目や口に入る可能性が有ることからも、安全上好ましく、例えば、クエン酸三ナトリウム（クエン酸ナトリウム）、クエン酸２ナトリウム、クエン酸１ナトリウム、グルコン酸カリウム、グルコン酸ナトリウム、コハク酸二ナトリウム、酢酸ナトリウム、ＤＬ−酒石酸ナトリウム、Ｌ−酒石酸ナトリウム、炭酸カリウム、炭酸水素ナトリウム、炭酸ナトリウム、乳酸ナトリウム、ＤＬ−リンゴ酸ナトリウム、等を挙げることができる。
【００８７】
以下、実施例等を挙げ本発明を詳細に説明するが、本発明の態様は、これらに限定されるものではない。
【００８８】
先ず、本発明の参考例を挙げ、その後に本発明の実施例を挙げる。この参考例は、第３図及び第４図に示される長靴形状軟質槽が、天然又は合成ゴムや軟質合成樹脂としての例であるレインシューズや軽作業長靴等として知られている軟質塩化ビニール（ＰＶＣ）製のものである。一方、本発明の実施例は、第１図及び第２図に示される軟質槽が、クロロプレンゴム発泡体に、（ａ）ナイロン、（ｂ）ポリエステル、（ｃ）ナイロン９０％とポリウレタン１０％との混紡、（ｄ）ポリエステル９０％とポリウレタン１０％との混紡のいずれかから選ばれたジャージ類をラミネートしたものである。
なお、以下の実施例において、Ａ群化合物を無添加とした場合、Ａ群化合物以外のありふれた賦形剤を同等量だけ用いた。
【００８９】
［参考例１］
１．比較用粉状浴剤の作成
松坂技研社製レディゲミキサーＶＴ１２００改良型に、総重量が４３０ｋｇとなるように添加し、約１０分混合し、目的の粉状浴剤（比較１）を作成した。
成分（質量％）      比較１
無水炭酸ナトリウム        ２５
コハク酸                  ２５
Ｌ−システイン塩酸塩        ０．４
酸化チタン粉末              ０．１
デキストリン                ０．１
ＣＭＣ（※１）              ０．６
ＰＥＧ６０００              ６
乳糖                        ３
香料                        ０．２
加水分解ケラチン            ０．０１
ニンジン末                  ０．０１
チャエキス                  ０．０１
カンゾウフラボノイド        ０．０１
塩化ベンザルコニウ          ０．０００５
加水分解コラーゲン          ０．０１５
天然ビタミンＥ              ０．０５
粒状糖類                  ３９．４９４５
１００
（※１）ＣＭＣ：水溶性カルボキシメチルセルロース
粒状糖類は、白糖、乳糖及びデキストリンを含み、高圧ガスが封入された明治製菓社の粒状糖類を使用した。
【００９０】
２．参考粉状浴剤の作成
松坂技研社製レディゲミキサーＶＴ１２００改良型に、総重量が４３０ｋｇとなるように添加し、約１０分混合し、目的の粉状浴剤（参考１）を作成した。
成分（質量％）    参考１
無水炭酸ナトリウム          ４．０
重炭酸ナトリウム          ７４．９
無水クエン酸              １５．８
ＰＥＧ６０００              ４．８
ＯＳＡ−Ｎａ（※２）        ０．５
１００
（※２）ＯＳＡ−Ｎａ：ｎ−オクタンスルホン酸ナトリウム
なお、摩損度１０．００ｗｔ％とした。
【００９１】
３．比較浴剤と参考洗浄粉剤の作成
上記２．において、無水炭酸ナトリウム、重炭酸ナトリウム及びクエン酸の量を表１のｐＨとなるように調整し、比較２、３、４及び５と参考２、３及び４を作成した。
【００９２】
上記１．〜３．で作成した粉状浴剤を４Ｌの温度４０℃の湯水に１．５ｇ溶解し、表１の足湯を作成し、５人に対し足湯効果の確認実験を実施し、その結果（５人の平均値を示す。）を表１にまとめた。
【００９３】
実験に際しては、比較が第３図及び第４図に示す長靴形状軟質槽［軟質槽は軟質塩化ビニール（ＰＶＣ）製単層構造］であり、本発明が第１図及び第２図に示す前記長靴形状軟質槽であり、脚を挿入した第４図又は第２図の状態の湯水量が片脚で２Ｌの湯水（４０℃）に上記粉状浴剤を片脚当たり０．８ｇ投入して浴剤溶解湯水としたものを注入し、脚を入れ、２５分間の足湯を５人に対して行い、その結果（５人の平均値を示す。）を表１に示す。なお、実験は２８℃の外気温の下で行った。
【００９４】
［評価基準］
（Ａ）洗浄性
評価１：脚の汚れのべたつきが残っている（完全にとれたときの５０％未満）
評価２：脚の汚れのべたつきがほんの少し残っている（完全にとれたときの５０％以上８０％未満）
評価３：脚の汚れはとれた。脚の水分が無くなりパサパサ。（完全にとれたときの８０％以上で水分の満足度５０％未満）
評価４：脚の汚れはとれた。脚の水分がやや少なく、ややパサパサ。（完全にとれたときの８０％以上で水分の満足度５０％以上９０％未満）
評価５：脚の汚れはとれ、脚の水分もあり、サラサラ。（完全にとれたときの８０％以上で水分の満足度９０％以上１００％）
【００９５】
（Ｂ）足湯後３０分経過後の足の指の温かさ
評価１：評価５を基準とすると１０％未満：３０分経過後の足の指をサーモグラフィー撮影し、指全体が青色である。
評価２：評価５を基準とすると１０％以上２０％未満の温かさ。
評価３：評価５を基準とすると２０％以上５０％未満の温かさ。
評価４：評価５を基準とすると５０％以上８０％未満の温かさ。
評価５：湯上りと同程度にぽかぽか温かい：３０分経過後の足の指をサーモグラフィー撮影し、指全体が赤色である。（基準で１００％）。
【００９６】
（Ｃ）オムロン睡眠計ＨＳＬ−１０１を用いてぐっすり睡眠時間の割合を評価した。
評価１：ぐっすり睡眠時間１０％未満。
評価２：ぐっすり睡眠時間１０％以上２０％未満。
評価３：ぐっすり睡眠時間２０％以上４０％未満。
評価４：ぐっすり睡眠時間４０％以上５０％未満。
評価５：ぐっすり睡眠時間５０％以上。
【００９７】
【表１】
2019069136.tif 000003
溶液ｐＨとは、洗浄粉剤０．８ｇを２Ｌの湯水に溶解し、室温で溶解直後に測定した値である。
【００９８】
表１から明らかなように、参考１〜４は界面活性剤を含有することなく、洗浄性に優れ、脚ミネラル汚れもとれ、更に重炭酸イオンが経皮より血管に入り、重炭酸イオン濃度が増加し、それを中和するために呼吸から得た酸素を送るために血流が良くなり、足湯をしているだけでも末端の足の指の毛細血管まで十分に血流が流れ、温まり感が向上し、更に深部体温上昇により、睡眠時間の中でぐっすり睡眠できた時間の割合が高くなることが判
る。
［実施例１］
上記参考例１において、ＯＳＡ−Ｎａを無添加（この場合、削除した分その他の成分の比率を均等に上げ、本発明１〜４を作成した。以下の本発明の実施例においても同じ。）とし、上記参考例１の長靴形状軟質槽に代え、本発明の長靴形状軟質槽を採用することで、本発明１〜４は参考１〜４と同等の結果が得られた。本発明の場合、Ａ群化合物の使用がなくても本発明の効果が得られることが判った。さらに本発明１では、ぐっすり睡眠時間の割合が、参考例１では、評価「３」であったが評価「４」となり、本発明が、良好に奏していることがわかった。
【００９９】
［参考例２］
参考粉状浴剤（参考５及び６）の作成
上記参考例１の２．の重量比率に対して
イソプロピルメチルフェノールを０．１質量％添加し、添加した分その他成分の比率を均等に下げ参考５を前記２．同様にして作成した。
水溶性珪素（株式会社リンクスから購入したＵＭＯミクロンパウダー）を２．０質量％添加し、添加した分その他成分の比率通りに、均等に下げ参考６を作成した。
参考例１同様に評価し、結果を表２にまとめた。
【０１００】
【表２】
2019069136.tif 000004
【０１０１】
表２の結果より、イソプロピルメチルフェノール及び水溶性珪素を添加すると、本発明の効果を特に良好に奏していることが判る。
更に、イソプロピルメチルフェノールそのものの殺菌効果も発揮でき、水溶性珪素の効果である脚の皮膚の弛みが無くなり、皮膚の張りができ、その素材が持つ、固有の効能も発揮できることが判った。また、イソプロピルメチルフェノール以外のＢ群化合物についても同等の効果が見られた。
［実施例２］
本参考例において、イソプロプルフェノール及び水溶性珪素を無添加とし、上記参考例２の長靴形状軟質槽に代え、本発明の長靴形状軟質槽を採用することで、本発明５、６とも参考５，６と同等の効果が得られた。本発明の場合、Ｂ群化合物及び水溶性珪素の使用がなくても本発明の効果が得られることが判った。さらに本発明５、６では、ぐっすり睡眠時間の割合が、参考例５、６では、評価「３」であったが評価「４」となり、本発明が、良好に奏していることがわかった。
【０１０２】
［参考例３］
操作−１
松坂技研社製レディゲミキサーＶＴ１２００改造型に炭酸水素ナトリウム３９０ｋｇを添加し、回転数１１５ｒｐｍでジャケットに６０℃の温水を循環し、品温が５５℃になったらＰＥＧ６０００を２０ｋｇ入れ造粒する。品温が６５℃になったらジャケットに冷水
を循環し、１０トールで減圧にし、品温が４５℃になるまで冷却する。
得られた顆粒をＡＡ顆粒という。
【０１０３】
操作−２
レディゲミキサーＶＴ１２００改良型にＡＡ顆粒３３３ｋｇ、無水クエン酸６７ｋｇ、無水炭酸ナトリウム１７ｋｇ、ＰＥＧ６０００を４ｋｇ及びＯＳＡ−Ｎａを２ｋｇ入れ、１１５ｒｐｍで１０分間攪拌し、混合物Ａを作成する。
【０１０４】
操作−３
上記操作−２と同様にＰＥＧ６０００まで入れた後、イソプロピルメチルフェノール０．４ｋｇ、そしてＯＳＡ−Ｎａを２ｋｇ入れ、１１５ｒｐｍで１０分間攪拌し、混合物Ｂを作成した。
【０１０５】
操作−４
上記操作−２と同様にＰＥＧ６０００まで入れた後、水溶性珪素（株式会社リンクスＵＭＯミクロンパウダー）８ｋｇ、そしてＯＳＡ−Ｎａを入れ、１１５ｒｐｍで１０分間攪拌し、混合物Ｃを作成した。
【０１０６】
操作−５
上記操作で作成した混合物を菊水製作所製タフプレスコレクト１５２７ＨＵ（錠剤製造機）により、加重７トンを加え、直径３０ｍｍ、厚さ１５ｍｍ、重量１５ｇの表３に示す硬度を有する錠剤を作成した。
上記参考例と同様の実験を行い、表３に評価結果をまとめた。
【０１０７】
【表３】
2019069136.tif 000005
【０１０８】
表３の結果から、錠剤にすれば、溶解時間が長くなり、粉剤より微小なマイクロ炭酸ガスが生成されることにより、湯水に溶解する炭酸ガスが増加し、炭酸ガスが重炭酸イオンになり、血流を促進する効果が増大し、末端への血流量が増え、足の指が温かくなり、深部体温も上がるため、熟睡できることが判明した。
【０１０９】
混合物Ｂ及びＣは、添加することで錠剤硬度をアップすることができ、よって更に血流が向上することによる末端への血流向上効果及び深部体温向上による熟睡への本発明効果を奏することが判明した。
［実施例３］
本参考例において、イソプロプルメチルフェノール及びＯＳＡ−Ｎａを無添加とし、上記参考例の長靴形状軟質槽に代え、本発明の長靴形状軟質槽を採用することで、参考７〜９と同等の効果が得られた。本発明の場合、Ｂ群化合物の使用がなくても本発明の効果が
得られることが判った。
【０１１０】
［参考例４］
参考例３の操作-２、操作-３及び操作-４のＯＳＡ-Ｎａの代わりに、テトラデセンスルホン酸ナトリウムを２ｋｇ入れ、それ以外は、参考例３と同様に操作し、表４にその評価結果をまとめた。  
【０１１１】
【表４】
2019069136.tif 000006
【０１１２】
表４の結果より、滑沢剤をＯＳＡ−Ｎａからテトラデセンスルホン酸ナトリウムに変えても、同等の効果を得られることが判明した。
なお、ｎ−ヘプタンスルホン酸ナトリウムに変えた場合についても、同等の効果が得られた。
［実施例４］
本実施例の場合も、テトラデセンスルホン酸ナトリウムを無添加とし、上記参考例の長靴形状軟質槽に代え、本発明の長靴形状軟質槽を採用することで、参考１０〜１２と同等の効果が得られた。本発明の場合、Ａ群化合物の使用がなくても本発明の効果が得られることが判った。
【０１１３】
［参考例５］
参考例３の操作-２、操作-３及び操作-４のＯＳＡ-Ｎａの代わりに、ヤシ油脂肪酸エチルエステルスルホン酸ナトリウムを２ｋｇ入れ、それ以外は、参考例３と同様に操作し、表４にその評価結果をまとめた。
【０１１４】
【表５】
2019069136.tif 000007
【０１１５】
表５の結果より、滑沢剤をＯＳＡ−Ｎａからヤシ油脂肪酸エチルエステルスルホン酸ナトリウムに変えても、同等の効果を得られることが判明した。
［実施例５］
本実施例の場合も、ヤシ油脂肪酸エチルエステルスルホン酸ナトリウムを無添加とし、上記参考例の長靴形状軟質槽に代え、本発明の長靴形状軟質槽を採用することで、参考１３〜１５と同等の効果が得られた。本発明の場合、Ａ群化合物の使用がなくても本発明の効果が得られることが判った。
【０１１６】
［参考例６］
参考例３の混合物Ａ、Ｂ及びＣにおいて、操作５の加重７トンと打錠速度を随時変化させ、特に打錠速度により、錠剤打錠の最大荷重の加重時間を変化させることにより、摩損度が異なる錠剤を作成した。溶解したｐＨは、７．０であった。表６に評価結果をまとめた。
【０１１７】
【表６】
2019069136.tif 000008
【０１１８】
表６の結果から、
錠剤摩損度が１０．０ｗｔ％以下では、錠剤中のミクロサイズの発泡をゆっくり起こさせ、液中への炭酸ガスの溶解を効率的にコントロールできる。そのため摩損度は、１０．０ｗｔ％以下が好ましく、さらに５．０ｗｔ％以下が好ましく、特に３．０ｗｔ％以下が好ましい。本発明内の摩損度は、特に錠剤の溶解が開始した後の錠剤中での炭酸ガスの発生がより効率的に起こり、水中への炭酸ガスの溶解が効率的に行われ、泡の径が細かくなり、本発明の効果を良好に奏することが判る。又、混合物Ｂ及びＣより、本発明の好ましい化合物を添加することが本発明の効果を良好に奏することが判る。
［実施例６］
本参考例において、上記参考例の好ましい化合物を無添加とし、上記参考例の長靴形状軟質槽に代え、本発明の長靴形状軟質槽を採用することで、参考１６〜２３と同等の効果が得られた。
【０１１９】
なお、上記参考例、実施例において、長靴形状軟質槽に第７図に示す断熱蓋を用いて保温効果を高めることによって、外気温が下がっても本発明効果が得られることが確認できた。
【０１２０】
上記各参考例、実施例において、固形浴剤を溶解した溶解湯水を長靴形状軟質槽１に注入する態様を示したが、長靴形状軟質槽１に湯水を張り、固形浴剤を長靴形状軟質槽１に投入して溶解湯水とする態様においても、前述と同様の効果が得られた。
【０１２１】
［実施例７］
上記実施例１〜６において、同実施例における長靴形状軟質槽に、足裏を槽底部から離開する突起５を付加したものを用いたことのみを異ならせたところ、実施例１〜６を超える結果が得られることが確認された。
【０１２２】
［実施例８］
上記実施例１〜６において、同実施例における長靴形状軟質槽に、下肢部皮膚を槽胴部表面から離開する突状部（突起又は舌片）を槽胴部内面に付加したものを用いたことのみを異ならせたところ、実施例１〜６と同等又はこれを超える結果が得られた。
【０１２３】
［実施例９］
上記実施例１〜６において、同実施例における長靴形状軟質槽の上端開口縁に被冠される断熱蓋部を付加したものを用いたことのみを異ならせたところ、実施例１〜６を超える結果が得られた。
【０１２４】
［実施例１０］
上記実施例１〜６において、同実施例における長靴形状軟質槽の上端開口縁を図１に示すマジックテープ（登録商標。結束具の代表例。）を用いて閉塞したことのみを異ならせたところ、実施例１〜６を超える結果が得られた。
【０１２５】
［実施例１１］
実施例１〜６で実施した実験を足浴前の右手の甲表皮温度（Ｔ１）、足湯終了後即の右手の甲表皮温度（Ｔ２）及び３０分経過した右手の甲表皮温度（Ｔ３）を測定した。結果をまとめて、表７に示した。
なお、測定はTO-400 非接触赤外線体温計（厚生労働省認可番号226AFBZX00131000）を
用いた。
【０１２６】
評価Ａ     
Ｔ２−Ｔ１（Ｔ２からＴ１を差し引いた温度）の１０人の算術平均値が
５・・・０．８℃以上
４・・・０．６以上０．８℃未満上昇
３・・・０．４以上０．６℃未満上昇
２・・・０．２以上０．４℃未満上
１・・・０．２未満上昇
評価Ｂ
Ｔ３−Ｔ２（Ｔ３からＴ２を差し引いた温度）の１０人の算術平均値が
５・・・０．２未満下降
４・・・０．２以上０．４℃未満下降
３・・・０．４以上０．６℃未満下降
２・・・０．６以上０．８℃未満下降
１・・・０．８℃以上下降
【０１２７】
【表７】
2019069136.tif 000009
【０１２８】
表７から明らかなように、参考例の長靴形状軟質槽に代え、本発明の長靴形状軟質槽を採用すると、一度温まった手の甲の表皮温度が足湯を終了した後もより長く持続していることが分かり、本発明は、足湯で血流を増進し、その効果が足から遠い手まで足湯の効果が及びその効果が持続することが判った。
【図１】
2019069136.tif 000010
【図２】
2019069136.tif 000011
【図３】
2019069136.tif 000012
【図４】
2019069136.tif 000013
【図５】
2019069136.tif 000014
【図６】
2019069136.tif 000015
【図７】
2019069136.tif 000016